(57)【要約】【課題】回転による風の大小にかかわらず、回転しさえすれば発光することができる回転発光装置及びそれを用いている車輪を提供する。【解決手段】回転発光装置２は、内部に取付空間４３が形成してあるハウジング４と、一端がハウジング４外に突出し他の大部分が取付空間４３内に位置するようにハウジング４に回転可能に設けられている回転軸５と、回転軸５の取付空間４３内の部分に外嵌固定されている磁石６と、取付空間４３内にあり磁石６を取り囲むようにハウジング４に取り付けられているコイルユニット７と、コイルユニット７と電気的に接続している発光手段８と、回転軸５がハウジング４と共に回転できないよう回転軸５の一端に設けられていて回転軸５に重量を付け加える錘りユニット９とからなる。【選択図】    図３
2004161025.tif 000002
【特許請求の範囲】
【請求項１】
回転できる回転部材に取り付けられ、前記回転部材の回転に伴って発光する回転発光装置であって、
その内部に取付空間が形成してあるハウジングと、
略棒状であって、前記ハウジングのほぼ中心位置を貫通し、且つ、その一端が前記ハウジング外に突出し、他の大部分が前記取付空間内に位置するように、前記ハウジングに回転可能に設けられている回転軸と、
前記回転軸の前記取付空間内の部分に外嵌固定されている磁石と、
前記取付空間内にあり、且つ、前記磁石を取り囲むように、前記ハウジングに取り付けられているコイルユニットと、
前記コイルユニットと電気的に接続し、且つ、少なくともその発光部分が前記ハウジング外に露出している発光手段と、
前記回転軸が前記ハウジングと共に回転できないよう、前記回転軸の前記一端に設けられていて前記回転軸に重量を付け加える錘りユニットとからなることを特徴とする回転発光装置。
【請求項２】
前記ハウジングは、それぞれ、中心が開口した円盤状であって、互いに結合されると、前記取付空間を構成する２つのハーフからなり、
前記コイルユニットは、
前記磁石の周りに設けられているコイル部材と、
前記コイル部材を挟むように設けられ、且つ、それぞれが前記コイル部材のコイル両端の一つと電気的に接続している２つのリング状フレームからなる電力出し部材とを備えてなり、
前記発光手段は、２つの端子を有し、且つ、
前記２つの端子中の一つが前記２つのフレームのいずれかと電気的に接続し、他の端子が他のフレームと電気的に接続していることを特徴とする請求項１に記載の回転発光装置。
【請求項３】
前記錘りユニットは、プラスチック材製の本体内に高密度の金属材を埋め込んでなることを特徴とする請求項１または２に記載の回転発光装置。
【請求項４】
その回転に伴って発光する回転発光装置が取り付けてある車輪において、
前記回転発光装置は、
前記車輪に取り付けられており、且つ、その内部に取付空間が形成してあるハウジングと、
略棒状であって、前記ハウジングのほぼ中心位置を貫通し、且つ、その一端が前記ハウジング外に突出し、他の大部分が前記取付空間内に位置するように、前記ハウジングに回転可能に設けられている回転軸と、
前記回転軸の前記取付空間内の部分に外嵌固定されている磁石と、
前記取付空間内にあり、且つ、前記磁石を取り囲むように、前記ハウジングに取り付けられているコイルユニットと、
前記コイルユニットと電気的に接続し、且つ、少なくともその発光部分が前記ハウジング及び前記車輪外に露出している発光手段と、
前記回転軸が前記ハウジング及び前記車輪と共に回転できないよう、前記回転軸の前記一端に設けられていて前記回転軸に重量を付け加える錘りユニットとからなることを特徴とする車輪。
【請求項５】
前記回転発光装置は、前記回転軸が前記車輪のシャフトと同軸線上にあるように取り付けられていることを特徴とする請求項４に記載の車輪。
【発明の詳細な説明】
【０００１】
【発明の属する技術分野】
本発明は、回転発光装置及びそれを用いている車輪に関し、特に、例えば自動車、車椅子、ローラースケートなどの車輪またはローラーに取り付けられ、それの回転に伴って発光する回転発光装置及びそれを用いている車輪に関する。
【０００２】
【従来の技術】
図１は、従来の自動車の車輪カバー１０に取り付けられている回転発光装置を示す分解斜視図である。前記回転発光装置は、主として、ファン１１と、永久磁石１２と、コイルユニット１３と、複数の発光手段１４とからなる。もっと詳しく説明すると、前記ファン１１は、前記車輪カバー１０のほぼ中心位置に形成した回転軸１０１に回転自在に軸支されている。前記永久磁石１２は、前記ファン１１と同期回転することができるように前記ファン１１の内部に設けられている。前記コイルユニット１３は、前記永久磁石１２を取り囲むように前記車輪カバー１０に取り付けられている。前記複数の発光手段１４は、前記コイルユニット１３の外周に所定距離におきに設けられ、且つ前記コイルユニット１３と電気的に接続し、また、その発光部分とする先端が前記車輪カバー１０に形成された複数の通孔１０２を経由して前記車輪カバー１０外に露出している。
【０００３】
それにより、自動車の車輪が回転されると、前記回転発光装置中の全ての部品が同期回転されるが、車輪の回転によって発生する風は前記車輪カバー１０に形成された入口１０３を経由して入るので、前記回転発光装置中の前記ファン１１を駆動して前記磁石１２と共に、前記車輪の回転と反対する方向へ回転させ、前記コイルユニット１３と前記磁石１２との間の電磁誘導作用により、前記コイルユニット１３に起電力を誘起して前記発光手段１４を点灯させることができる。
そうすると、車輪乃至車全体を装飾することができるのみならず、走行中の自動車の安全性を上げることもできる。
【０００４】
【発明が解決しようとする課題】
しかしながら、上記回転発光装置の発光の有無は、車輪の回転による風のファンへの駆動力の大小に決定されるため、車が遅く走行すると、風が弱くなり、前記ファンを回転させることができなくなることがあるので、走行中の発光不能の速度範囲が極めて大であるという欠点がある。
上記に鑑み、本発明は、回転による風の大小にかかわらず、回転しさえすれば発光することができる回転発光装置及びそれを用いている車輪を提供しようとすることにある。
【０００５】
【課題を解決するための手段】
上記の目的を達成するために、発明者は、回転できる回転部材に取り付けられ、前記回転部材の回転に伴って発光する回転発光装置であって、その内部に取付空間が形成してあるハウジングと、略棒状であって、前記ハウジングのほぼ中心位置を貫通し、且つ、その一端が前記ハウジング外に突出し、他の大部分が前記取付空間内に位置するように、前記ハウジングに回転可能に設けられている回転軸と、前記回転軸の前記取付空間内の部分に外嵌固定されている磁石と、前記取付空間内にあり、且つ、前記磁石を取り囲むように、前記ハウジングに取付けられているコイルユニットと、前記コイルユニットと電気的に接続し、且つ、少なくともその発光部分が前記ハウジング外に露出している発光手段と、前記回転軸が前記ハウジングと共に回転できないよう、前記回転軸の前記一端に設けられていて前記回転軸に重量を付け加える錘りユニットとからなることを特徴とする回転発光装置を提供する。
【０００６】
この構成による回転発光装置は、例えば自動車、車椅子、スケート靴などの車輪またはローラーなどの回転できる回転部材に取り付けられると、前記回転発光装置におけるハウジング、コイルユニット及び発光手段は前記回転部材の回転に伴って同期回転されるが、前記回転軸は、前記錘りユニットの重量を受けるので、慣性力が大きくなり、前記ハウジングと共に回転しないようになる。また、前記磁石は、前記回転軸に外嵌固定されているので、前記回転部材の回転中に、前記回転軸と共に元の位置に静止する。即ち、前記回転部材が回転されると、前記回転発光装置におけるコイルユニットは前記回転部材の回転に伴って回転不能の前記磁石の周りに回転し、前記磁石の磁力線を横切って電磁誘導作用を起こすことにより前記コイルユニットに起電力を誘起して前記発光手段を点灯させることができる。それにより、本発明の回転発光装置は、回転による風の大小にかかわらず、回転しさえすれば発光することができる。
【０００７】
そして、前記ハウジングは、それぞれ、中心が開口した円盤状であって、互いに結合されると、前記取付空間を構成する２つのハーフからなり、前記コイルユニットは、前記磁石の周りに設けられているコイル部材と、前記コイル部材を挟むように設けられ、且つ、それぞれが前記コイル部材のコイル両端の一つと電気的に接続している２つのリング状フレームからなる電力出し部材とを備えてなり、前記発光手段は、２つの端子を有し、且つ、前記２つの端子中の一つが前記２つのフレームのいずれかと電気的に接続し、他の端子が他のフレームと電気的に接続していることが好ましい。前記錘りユニットには、プラスチック材製の本体内に高密度の金属材を埋め込んでなるものを使用することが好ましい。
【０００８】
なお、前記回転発光装置に基づいて、発明者は、更に、その回転に伴って発光する回転発光装置が取り付けてある車輪において、前記回転発光装置が、前記車輪に取り付けられており、且つ、その内部に取付空間が形成してあるハウジングと、略棒状であって、前記ハウジングのほぼ中心位置を貫通し、且つ、その一端が前記ハウジング外に突出し、他の大部分が前記取付空間内に位置するように、前記ハウジングに回転可能に設けられている回転軸と、前記回転軸の前記取付空間内の部分に外嵌固定されている磁石と、前記取付空間内にあり、且つ、前記磁石を取り囲むように、前記ハウジングに取付けられているコイルユニットと、前記コイルユニットと電気的に接続し、且つ、少なくともその発光部分が前記ハウジング及び前記車輪外に露出している発光手段と、前記回転軸が前記ハウジング及び前記車輪と共に回転できないよう、前記回転軸の前記一端に設けられていて前記回転軸に重量を付け加える錘りユニットとからなることを特徴とする車輪を提供する。
【０００９】
この構成による車輪は、回転されると、従来のような発光不能の範囲がなく、回転中にいつも前記発光手段を点灯させることができるので、車輪乃至車全体を装飾することができるのみならず、走行中の車の安全性を確保することができる。
【００１０】
そして、前記回転発光装置は、前記回転軸が前記車輪のシャフトと同軸線上にあるように取り付けられることが好ましい。
【００１１】
【発明の実施の形態】
以下、本発明の回転発光装置及びそれを用いている車輪の好ましい実施の形態を詳しく説明する。なお、以下の説明においては、そのサイズに拘わらず、略同一の機能及び構成を有する構成要素については、同一符号を付し、重複説明は必要な場合にのみ行う。
【００１２】
本発明の回転発光装置２は、回転できる回転部材に取り付けられ、前記回転部材の回転に伴って発光するためのものである。図２に示すのは、それを自動車の車輪に使用し、且つ、車輪カバー３を前記回転部材としている実施の形態の斜視図である。図示のように、本発明の回転発光装置２が取り付けてある車輪カバー３は、円盤状であって、外へ突出した凸面３１と、内へ窪んでいる凹面３２とを有する。前記凹面３２のほぼ中心位置には、前記凹面３２から直立突出してなる環形壁３２１が形成してある。前記環形壁３２１によって円形の取付空間３２２が形成されている。前記円形の取付空間３２２内には、複数の通孔３２３が開けてある。本実施の形態では、前記通孔３２３は、４個あり、該４個の通孔は、菱形を成して所定距離おきに互いに離間している。
【００１３】
そして、本発明の回転発光装置２は、図３と図４とを合わせてみるように、ハウジング４と、回転軸５と、磁石６と、コイルユニット７と、４つの発光手段８と、錘りユニット９とからなる。もっと詳しく説明すると、前記ハウジング４は、それぞれ中心が開口した円盤状であって、互いに結合されると、取付空間４３を構成する２つのハーフ４１，４２から組合わせてなり、且つ、その組合わせてなった後のサイズは前記車輪カバー３の円形の取付空間３２２のサイズより少しだけ小さいので、前記取付空間３２２内に嵌入収納されることができる。また、前記２つのハーフ４１，４２の前記開口４１１，４２１の周りには、それぞれ、ベアリング４４，４５が設けられている。前記回転軸５は、略棒状であって、前記ハウジング４つの前記２つのハーフ４１，４２の開口４１１，４２１を貫通し、且つ、その一端５１が前記ハウジング４外に突出し、他の大部分５２が前記取付空間４３内に位置するように、前記一対のベアリング４４，４５に軸支されて前記ハウジング４に回転可能に設けられている。前記磁石６は、中心が開口した円盤状であって、前記回転軸５の前記取付空間４３内の部分に外嵌固定されている。本実施の形態では、前記磁石６として、永久磁石を使用している。
【００１４】
そして、前記コイルユニット７は、前記取付空間４３内にあり、且つ、前記磁石６を取り囲むように、前記ハウジング４に取り付けられている。もっと詳しく説明すると、前記コイルユニット７は、図５に示すように、コイル部材７１と電力出し部材７２とを備えてなる。前記コイル部材７１は、前記磁石６の周りに設けられているリング状の載せ台７１１と、前記載せ台７１１に巻き付けてあるコイル７１２とを有する。前記電力出し部材７２は、前記コイル部材７１を挟むように設けられている２つのリング状フレーム７２１，７２２からなる。また、前記２つのリング状フレーム７２１，７２２は、それぞれが前記コイル部材７１の前記コイル７１２両端の一つと電気的に接続し、且つリング状の外縁に沿って所定距離おきに離間している４つのラグ７２３，７２４が形成してある。
【００１５】
そして、前記４つの発光手段８は、それぞれ、２つの端子８１，８２を有し、前記２つの端子中の一つ８１が前記２つのフレーム７２１，７２２中のフレーム７２１におけるラグ７２３と電気的に接続し、他の端子８２が他のフレーム７２２におけるラグ７２４と電気的に接続している。即ち、前記４つの発光手段８は、図３に示すように、前記コイルユニット７の外周に所定距離おきに設けられている。また、前記４つの発光手段８は、図４に示すように、少なくともそれぞれの発光部分とする先端が前記ハーフ４１に形成した開口を経由して前記ハウジング４及び前記車輪カバー３外に露出している。
【００１６】
そして、前記錘りユニット９は、プラスチック材製の本体９１内に高密度の金属材９２を埋め込んでなり、ボルトを介して前記回転軸５の前記一端５１に設けられていて、前記回転軸５に重量を付け加えるものである。
【００１７】
図２に示すように、前記回転発光装置２は、前記４つの発光手段８を前記車輪カバー３に形成した４つの通孔３２３に合致して前記円形の取付空間３２２内に取り付けることにより、前記車輪カバー３と結合されているので、前記車輪カバー３が回転されると、前記回転発光装置２におけるハウジング４、コイルユニット７及び複数の発光手段８は前記車輪カバー３の回転に伴って同期回転されるが、前記回転軸５は、前記錘りユニット９内の金属材９２の重量を受けるので、慣性力が大きくなり、前記ハウジング４と共に回転しないようになる。また、前記磁石６は、前記回転軸５に外嵌固定されているので、前記車輪カバー３の回転中に、前記回転軸５と共に元の位置に静止する。即ち、前記車輪カバー３が回転されると、前記回転発光装置２におけるコイルユニット７は前記車輪カバー３の回転に伴って回転不能の前記磁石６の周りに回転し、前記磁石６の磁力線を横切って電磁誘導作用を起こすことにより、前記コイルユニット７に起電力を誘起して前記複数の発光手段８を点灯させることができる。
【００１８】
それにより、本発明の回転発光装置２は、回転による風の大小にかかわらず、回転しさえすれば発光することができる。また、本発明の回転発光装置２を取り付けた車輪カバー３を使用している車輪は、回転されると、従来のような発光不能の範囲がなく、回転中にいつも前記発光手段８を点灯させることができるので、車輪乃至車全体を装飾することができるのみならず、走行中の車の安全性を確保することができる。
【００１９】
なお、前記実施の形態において、前記回転発光装置２が車輪カバー３に取り付けられているが、それに限らず、図６に示すように、前記回転軸５が車輪２０のシャフトと同軸線上にあるように車輪２０に直接的に取り付けられてもよい。
【００２０】
図７は、本発明の回転発光装置の他の実施の形態を示す。この実施の形態の上記実施の形態と異なる点は、前記ハウジング４の２つのハーフ４１，４２中のハーフ４２の外表面には、複数の係止部４２２が形成され、前記車輪カバー３の環形壁３２１の周縁には、複数の前記係止部４２２を係止するための係止手段３２４が形成してあることにある。それにより、前記回転発光装置２と前記車輪カバー３との結合を一層に強化することができる。
【００２１】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【００２２】
【発明の効果】
本発明の回転発光装置は、回転による風の大小にかかわらず、回転しさえすれば発光することができるので、それを取り付けた車輪カバー乃至車輪などの回転部材は、回転されると、従来のような発光不能の範囲がなく、回転中にいつも発光手段を点灯させることができるので、車輪乃至車全体を装飾することができるのみならず、走行中の車の安全性を完全に確保することができる。
【図面の簡単な説明】
【図１】従来の自動車の車輪カバーに取り付けられている回転発光装置の分解斜視図。
【図２】本発明の好ましい実施の形態に係わる回転発光装置が自動車の車輪カバーに取り付けられている場合の斜視図。
【図３】前記実施の形態に係わる回転発光装置の分解斜視図。
【図４】前記実施の形態に係わる回転発光装置の断面図。
【図５】前記実施の形態におけるコイルユニット及び発光手段の分解斜視図。
【図６】前記実施の形態に係わる回転発光装置が自動車の車輪に取り付けられている場合の平面図。
【図７】本発明の他の実施の形態に係わる回転発光装置が自動車の車輪カバーに取り付けられている場合の斜視図。
【符号の説明】
２  回転発光装置
２０  車輪
３  車輪カバー
３１  凸面
３２  凹面
３２１  環形壁
３２２  円形の取付空間
３２３  通孔
３２４  係止手段
４  ハウジング
４１  ハーフ
４１１  開口
４２  ハーフ
４２１  開口
４２２  係止部
４３  取付空間
４４  ベアリング
４５  ベアリング
５  回転軸
５１  一端
５２  一端と異なる部分
６  磁石
７  コイルユニット
７１  コイル部材
７１１  載せ台
７１２  コイル
７２  電力出し部材
７２１  フレーム
７２２  フレーム
７２３  ラグ
７２４  ラグ
８  発光手段
８１  端子
８２  端子
９  錘りユニット
９１  本体
９２  金属材
【図１】
2004161025.tif 000003
【図２】
2004161025.tif 000004
【図３】
2004161025.tif 000005
【図４】
2004161025.tif 000006
【図５】
2004161025.tif 000007
【図６】
2004161025.tif 000008
【図７】
2004161025.tif 000009